(57)【特許請求の範囲】
【請求項１】
筐体と、
前記筐体に内蔵され、電気部品が実装されている基板と、
前記基板に電気的に接続されているコネクタと、
前記筐体における前記コネクタに重なる位置に形成された孔部と、
前記孔部を囲むように配されている止水部材と、
前記筐体に固定され、前記孔部を閉塞している蓋体と、
前記蓋体と前記コネクタとの間に配されている緩衝部材とを備え、
前記止水部材は、前記蓋体と前記筐体とに挟まれ、
前記コネクタは、前記基板と前記緩衝部材及び前記蓋体とに挟まれ、
前記蓋体は、前記コネクタに重なる位置に、前記コネクタ側へ突出する凸部を備え、
前記緩衝部材は前記凸部とコネクタとの間に挟まれている、
電子機器。
【請求項２】
ユーザーによる入力操作を受け付ける入力装置を、さらに備え、
前記コネクタ、前記孔部、前記止水部材、前記蓋体、および前記緩衝部材は、前記入力装置の操作部側の裏側に配されている、請求項１記載の電子機器。
【請求項３】
前記蓋体と前記入力装置との間に、導電性を有する弾性部材を備え、
前記弾性部材は前記蓋体における前記凸部の裏面である前記蓋面の凹部と前記入力装置の間に挟まれ、
前記弾性部材は、前記蓋体と前記入力装置とに電気的に接している、請求項２記載の電子機器。
【発明の詳細な説明】
【技術分野】
【０００１】
本発明は、電子機器に関する。
【背景技術】
【０００２】
近年、ノートパソコンなどのモバイル機器は、屋外で使用することを想定し、防水、防滴、防塵性能を高めた商品が登場してきている。モバイル機器の中でも、ノートパソコンや折りたたみ型携帯電話器などのように複数の筐体を備えたモバイル機器は、複数の筐体それぞれに内蔵された電気部品同士を電気的に接続する必要がある。例えば、ノートパソコンの場合は、一方の筐体に内蔵された液晶ディスプレイと、他方の筐体に内蔵された電気回路基板とを電気的に接続する必要がある。このような電気部品同士の電気的接続には、導線やフラット導電ケーブルなどを用いることが多い。このように導電等で電機部品同士を接続する場合、複数の筐体のそれぞれに導線を引き出すための孔部を設けないといけないため、防水性能等が低下する。
【０００３】
特許文献１は、ポータブルコンピュータは、キーボードが配置される底壁を有する筐体と、この筐体の内部に収容された回路基板とを有している。筐体の底壁に開口部が形成されている。この開口部は、回路基板の一部、例えばキーボードとの接続をなすコネクタを露出させている。底壁とキーボードとの間に防水シートとして機能するシートが配置されている。シートは、開口部を上方から覆っている。このシートには、コネクタに接続されるケーブルを通すためのケーブル挿通部が形成されている。
【０００４】
特許文献２は、上壁とこの上壁の縁から延びる側部とを有する筐体と、筐体の上壁に設けられる底面を有するとともにその底面の少なくとも一部が筐体の側部まで延びるキーボード載置部と、キーボード載置部に載置されるキーボードとを具備する電子機器を開示している。
【先行技術文献】
【特許文献】
【０００５】
【特許文献１】特開２００６−０９９５５０号公報
【特許文献２】特開２００８−０２７１３７号公報
【発明の概要】
【発明が解決しようとする課題】
【０００６】
しかしながら、特許文献１及び２に開示されている構成では、コネクタを機械的に保護する構成を備えていないため、ノートパソコンに強い衝撃が印加された際に、コネクタが電気回路基板から離脱してしまう可能性がある。
【課題を解決するための手段】
【０００７】
本願に開示する電子機器は、筐体と、前記筐体に内蔵され、電気部品が実装されている基板と、前記基板に電気的に接続されているコネクタと、前記筐体における前記コネクタに重なる位置に形成された孔部と、前記孔部を囲むように配されている止水部材と、前記筐体に固定され、前記孔部を閉塞している蓋体と、前記蓋体と前記コネクタとの間に配されている緩衝部材とを備え、前記止水部材は、前記蓋体と前記筐体とに挟まれ、前記コネクタは、前記基板と前記緩衝部材及び前記蓋体とに挟まれ、前記蓋体は、前記コネクタに重なる位置に、前記コネクタ側へ突出する凸部を備え、前記緩衝部材は前記凸部とコネクタとの間に挟まれている。
【発明の効果】
【０００８】
本発明によれば、導電ケーブルが配されている部分における防水性を確保するとともに、電子機器に衝撃が印加されたとしてもコネクタ及び導電ケーブルが電気回路基板から容易に離脱することを防ぐことができる。
【図面の簡単な説明】
【０００９】
【図１】本実施の形態にかかるノートパソコンの斜視図
【図２】第１の筐体の平面図
【図３Ａ】第１の筐体における孔部近傍の平面図
【図３Ｂ】蓋体の平面図
【図４】図２におけるＺ−Ｚ部の要部断面図
【図５】蓋体の変形例を示す要部断面図
【発明を実施するための形態】
【００１０】
（実施の形態）
〔１．電子機器の構成〕
図１は、本実施の形態にかかる電子機器の一例であるノートパソコンの外観を示す斜視図である。なお、本実施の形態では、電子機器の一例としてノートパソコンを挙げたが、少なくとも複数の筐体を備え、各々の筐体に内蔵されている電気部品同士を電気的に接続可能な構成を備えた機器であればよい。
【００１１】
図１に示すように、ノートパソコンは、第１の筐体１と第２の筐体２とを備えている。第１の筐体１は、各種電気素子が実装された回路基板やハードディスクドライブなどを内蔵している。第２の筐体２は、液晶ディスプレイ４を備えている。第１の筐体１と第２の筐体２とは、ヒンジ部３によって互いに回転自在に支持されている。ヒンジ部３は、第１の筐体１と第２の筐体２とを矢印ＡまたはＢに示す方向へ回転自在に支持する回転軸を備えている。第１の筐体１の上面１ａには、キーボード５とポインティングデバイス６とが配されている。
【００１２】
図２は、第１の筐体１の平面図である。図２において、コネクタ１１及び導電ケーブル１２は簡略描画している。図２に示すように、導電ケーブル１２は、一方の端部が液晶ディスプレイ４に電気的に接続され（接続状態の図示は省略）、他方の端部にコネクタ１１が接続されている。コネクタ１１は、第１の筐体１内における孔部１４ａを介して電気回路基板（後述）に接続されている。
【００１３】
図３Ａは、第１の筐体１における孔部１４ａ近傍の平面図である。図３Ｂは、蓋体１５の平面図である。図４は、図２におけるＺ−Ｚ部の孔部１４ａ近傍の部分断面図である。
【００１４】
図３Ａ及び図４に示すように、第１の筐体１に一体的に設けられたフレーム１４は、孔部１４ａが形成されている。孔部１４ａは、少なくともコネクタ１１を露出可能な開口面積を有する。
【００１５】
コネクタ１１は、導電ケーブル１２が接続されている。コネクタ１１は、プリント基板１３に電気的に接続されているとともに機械的に装着されている。図４は、コネクタ１１がプリント基板１３に機械的に装着されている状態を示し、この状態からコネクタ１１を矢印Ｃに示す方向へ変位させることで、コネクタ１１を端子から離脱させることができる。コネクタ１１は、スタック式コネクタや跳ね上げ式コネクタなどのように、プリント基板１３の実装面に略直交する方向へ変位可能なコネクタを用いることができる。
【００１６】
図３Ｂ及び図４に示すように、蓋体１５は、略平板状の金属板で形成されている。蓋体１５は、例えばアルミニウムなどの導電材料で形成することが好ましい。蓋体１５は、フレーム１４にネジ等によって固定されている。蓋体１５は、その一方の主面にＥＭＩガスケット１７が配されている（EMI:Electromagnetic Interference）。蓋体１５は、その他方の主面（一方の主面の裏側）に緩衝部材１６及び止水部材１８が配されている。
【００１７】
緩衝部材１６は、蓋体１５の他方の主面に接着剤等で固定され、蓋体１５とコネクタ１１との間に位置している。緩衝部材１６は、弾性を有する材料で形成されている。緩衝部材１６は、例えばシリコーン発泡体で形成することができる。
【００１８】
ＥＭＩガスケット１７は、導電性及び弾性を有する材料で形成されている。ＥＭＩガスケット１７は、蓋体１５とキーボード５とを電気的に導通させるためのものであり、第１の筐体１内における電磁波干渉を低減させるためのものである。ＥＭＩガスケット１７は、例えば導電性エラストマーで形成することができる。ＥＭＩガスケット１７は、蓋体１５の一方の主面に導電性を有する接着剤等で固定されていることが好ましい。ＥＭＩガスケット１７は、キーボード５のメンブレンシート５１に電気的に接している。
【００１９】
止水部材１８は、図３Ｂに示すように中央に孔部を有する略「ロ」の字形状に形成されている。止水部材１８は、弾性を有するとともに、防水性を確保できる材料で形成され、例えばシリコーン発泡体で形成することができる。止水部材１８は、蓋体１５の他方の主面に接着剤などで接着されている構成とすることができるが、少なくとも止水部材１８と蓋体１５との間から液体等が進入するのを防ぐために防水性がある接着手段により接着することが好ましい。止水部材１８は、フレーム１４の孔部１４ａを囲むように配されるとともに、孔部１４ａの周囲におけるフレーム１４に密接する。
【００２０】
図４に示すように、プリント基板１３に実装された端子に電気的及び機械的に装着されているコネクタ１１は、プリント基板１３側を向く面に対向する面に緩衝部材１６が接している。蓋体１５は、フレーム１４との間に少なくとも止水部材１８を挟持可能な間隙を形成して、フレーム１４に固定されている。止水部材１８は、フレーム１４と蓋体１５とに接するとともに、フレーム１４における孔部１４ａを囲む領域に接している。ＥＭＩガスケット１７は、蓋体１５とメンブレンシート５１とに接している。
【００２１】
このような構成において、例えばノートパソコン１を、上面１ａを鉛直下向きにして床等に落下させてしまった場合、ノートパソコンと床との衝突時に生じる慣性により、コネクタ１１が矢印Ｃに示す方向へ変位しようとする。しかし、コネクタ１１の上部には緩衝部材１６及び蓋体１５が配されているため、矢印Ｃに示す方向への変位が規制される。よって、コネクタ１１がプリント基板１３に実装された端子から離脱することを防止することができる。
【００２２】
また、例えばノートパソコン１を、下面１ｂ（上面１ａに対向する面）を鉛直下向きにして床等に落下させてしまった場合、下面１ｂと床との衝突時に下面１ｂと床との界面に生じる衝撃エネルギーは図４に示す矢印Ｃに示す方向へ発生する。図４に示す矢印Ｃに示す方向の衝撃エネルギーが印加されると、コネクタ１１は矢印Ｃに示す方向へ変位しようとする。しかし、コネクタ１１の上部には緩衝部材１６及び蓋体１５が配されているため、矢印Ｃに示す方向への変位が規制される。よって、コネクタ１１がプリント基板１３に実装された端子から離脱することを防止することができる。
【００２３】
また、蓋体１５とメンブレンシート５１との間には、弾性を有するＥＭＩガスケット１７が配されているため、矢印Ｃに示す方向へ印加される衝撃を吸収し、メンブレンシート５１へ伝わりにくくしている。メンブレンシート５１は、電極を有する２枚のシートが、微小な隙間を挟んで対向させている構成であるため、外部から衝撃が印加されその微小な隙間がごく僅かになったりあるいは無くなってしまうと電極同士が常時接触する状態となることがあり、キーボード５が正常に動作しなくなることがある。本実施の形態では、ＥＭＩガスケット１７でメンブレンシート５１にかかる衝撃を緩和させることで、ノートパソコンに衝撃が印加された時におけるキーボード５の故障を防ぐことができる。
【００２４】
〔２．実施の形態の効果、他〕
本実施の形態によれば、コネクタ１１におけるプリント基板１３側の反対側に蓋体１５及び緩衝部材１６を備えたことにより、ノートパソコンまたは第１の筐体１に外部から衝撃が印加されたとしても、コネクタ１１がプリント基板１３から離間する方向へ変位するのを規制することができる。したがって、コネクタ１１がプリント基板１３から電気的及び機械的に離脱することを防ぐことができる。
【００２５】
また、孔部１４ａの周囲を止水部材１８で包囲し、孔部１４ａを蓋体１５で封止する構成としたことにより、第１の筐体１内へ液体や粉塵などが進入したとしても、孔部１４ａを介してプリント基板１３側へ進入することを防ぐことができる。したがって、プリント基板１３およびそれに実装されている各種電気部品において電気的ショートが発生することを防ぐことができる。
【００２６】
また、本実施の形態では、蓋体１５を導電材料で形成するとともに、蓋体１５とメンブレンシート５１との間にＥＭＩガスケット１７を挟持したことにより、電磁波干渉を低減することができる。
【００２７】
また、本実施の形態では、蓋体１５に、緩衝部材１６、ＥＭＩガスケット１７、止水部材１８を固定する構成としたことにより、第１の筐体１を組み立てる際に、上記構成の蓋体１５をフレーム１４に固定するだけで緩衝部材１６、ＥＭＩガスケット１７、止水部材１８をそれぞれ所定の位置に配置することができるため、組立性が良いというメリットがある。
【００２８】
なお、緩衝部材１６は、コネクタ１１に必ずしも接している必要はなく、少なくとも第１の筐体１に衝撃が印加されて蓋体１５とコネクタ１１との距離が縮まった際にコネクタ１１に接するように配されていればよい。
【００２９】
また、緩衝部材１６は、蓋体１５に固定する構成としたが、コネクタ１１に固定する構成としてもよいし、コネクタ１１及び蓋体１５の両方に固定する構成としてもよい。
【００３０】
また、ＥＭＩガスケット１７は、メンブレンシート５１に必ずしも接している必要はなく、少なくとも第１の筐体１に衝撃が印加されて蓋体１５とメンブレンシート５１との距離が縮まった際にメンブレンシート５１に接するように配されていればよい。
【００３１】
また、ＥＭＩガスケット１７は、必須ではない。すなわち、本実施の形態は、ノートパソコンまたは第１の筐体１に衝撃が印加された際に、コネクタ１１がプリント基板１３から外れてしまうことを防止することを主な目的としているため、蓋体１５とメンブレンシート５１との間に間隙を有する配置にすることができれば、ＥＭＩガスケット１７は無くてもよい。
【００３２】
また、ＥＭＩガスケット１７は、蓋体１５に固定する構成としたが、キーボード５のメンブレンシート５１に固定する構成としてもよいし、蓋体１５及びメンブレンシート５１の両方に固定する構成としてもよい。
【００３３】
また、ＥＭＩガスケット１７は、本実施の形態では導電性を有する材料で形成したが、ノートパソコンにおいてＥＭＩガスケット１７以外の構成によって十分にＥＭＩ対策が施されている場合は、導電性を有していなくてもよい。すなわち、ＥＭＩガスケット１７に代えて、蓋体１５とメンブレンシート５１との間に絶縁性材料で形成された緩衝部材を備えてもよい。
【００３４】
また、止水部材１８は、蓋体１５に固定する構成としたが、フレーム１４に固定する構成としてもよいし、蓋体１５及びフレーム１４の両方に固定する構成としてもよい。
【００３５】
また、本実施の形態では、蓋体１５を平板状としたが、図５に示すようにコネクタ２１に対向する位置に凸部２５ａを設けた蓋体２５としても良い。凸部２５ａは、コネクタ２１側に突出し、コネクタ２１との間隙を図５に示す構成と比較して小さくしている。コネクタ２１は、図４に示すコネクタ１１に比べて低背である。このような構成とすることにより、低背のコネクタ２１を実装したとしても、衝撃印加時のコネクタ２１の離脱方向への変位を規制することができる。また、止水部材１６により、孔部１４ａに対する防水性を確保できる。
【００３６】
また、本実施の形態における第１の筐体１は、本発明の筐体の一例である。本実施の形態におけるプリント基板１３は、本発明の基板の一例である。本実施の形態におけるコネクタ１１は、本発明のコネクタの一例である。本実施の形態における孔部１４ａは、本発明の孔部の一例である。本実施の形態における止水部材１８は、本発明の止水部材の一例である。本実施の形態における蓋体１５は、本発明の蓋体の一例である。本実施の形態における緩衝部材１６は、本発明の緩衝部材の一例である。
【産業上の利用可能性】
【００３７】
本願は、防水、防滴、防塵機能を備え、さらに耐衝撃性を備えた電子機器に有用である。
【符号の説明】
【００３８】
１  第１の筐体
１１、２１  コネクタ
１５、２５  蓋体
１６  緩衝部材
１７  ＥＭＩガスケット
１８  止水部材
２５ａ  凸部
【図１】
0005506467.tif 000002
【図２】
0005506467.tif 000003
【図３Ａ】
0005506467.tif 000004
【図３Ｂ】
0005506467.tif 000005
【図４】
0005506467.tif 000006
【図５】
0005506467.tif 000007